(57)【特許請求の範囲】
【請求項１】
画像選択スイッチにより所望の画像を選択するステップと、
前記選択した画像の再生画を見て、その画像を撮影したときと同じカメラ設定にしたいか否かを判断し同じカメラ設定にしたい場合に設定スイッチを操作するステップと、
前記カメラ設定スイッチによって設定されたカメラ設定条件を表示するステップと、
前記表示されたカメラ設定条件の内容を補正するべく補正操作スイッチを操作するステップと、
前記補正操作スイッチで操作された補正量に対応して補正された後のカメラ設定条件を表示するステップと、
レリーズボタンを押すことにより前記補正された後のカメラ設定条件に対応した各種のカメラの設定が行われた状態で実際に撮影記録するステップと、
を有することを特徴とする電子カメラの撮影方法。
【請求項２】
前記補正操作スイッチで操作された補正量に対応して画像データを演算処理し、当該演算処理を行った補正後の画像データを再生表示するステップをさらに有する請求項１に記載の電子カメラの撮影方法。
【請求項３】
前記補正操作スイッチで操作された補正量に対応して画像データを演算処理した後の画像データと演算処理を行う前の画像データの両方を同時に２画面の再生画として表示する請求項２に記載の電子カメラの撮影方法。
【発明の詳細な説明】
【技術分野】
【０００１】
本発明は、ＩＣカード等の記録手段に画像データを記録する電子カメラの撮影方法に関する。
【背景技術】
【０００２】
撮像装置たる電子カメラにおいて、近年、画像データを記録する記録手段としてＩＣカードを用いたものが提案されている。
【０００３】
このようなカメラにおいては、通常はそのままシャッタボタンを押せば比較的良好な写真が撮れるようになっているが、それ以外にもマニュアルによる撮影、つまりシャッタ速度やホワイトバランス等の種々のカメラの設定を撮影者が行ってから撮影する場合がある。
【０００４】
このような撮影時のカメラ設定に関する情報が後で必要になる例としては、例えば撮影後に記録した画像を再生するときや、あるいは再生した画像を見て再び同じカメラ設定条件で撮影したい場合などが挙げられる。
【発明の開示】
【発明が解決しようとする課題】
【０００５】
しかしながら、従来の電子カメラでは、上述のように再撮影を行う場合には、記憶や感に頼るか、または撮影者自身が紙などにカメラの設定条件をメモして、この紙に書かれた情報を見ながら再撮影しなければならず、手間がかかって面倒であった。
【０００６】
本発明は上記事情に鑑みてなされたものであり、撮影済み画像の撮影時のカメラの設定条件を容易に入手した後に、この設定条件を巧みに流用して補正した新規なカメラ設定条件を簡便に設定することができる電子カメラの撮影方法を提供することを目的とする。
【課題を解決するための手段】
【０００７】
本発明の電子カメラの撮影方法は、画像選択スイッチにより所望の画像を選択するステップと、前記選択した画像の再生画を見て、その画像を撮影したときと同じカメラ設定にしたいか否かを判断し同じカメラ設定にしたい場合に設定スイッチを操作するステップと、前記カメラ設定スイッチによって設定されたカメラ設定条件を表示するステップと、前記表示されたカメラ設定条件の内容を補正するべく補正操作スイッチを操作するステップと、前記補正操作スイッチで操作された補正量に対応して補正された後のカメラ設定条件を表示するステップと、レリーズボタンを押すことにより前記補正された後のカメラ設定条件に対応した各種のカメラの設定が行われた状態で実際に撮影記録するステップと、を有することを特徴とする。
【発明の効果】
【００１２】
本発明によれば、簡便な操作で、すでに記録済みの画像データの撮影時におけるカメラ設定データを巧みに流用した上にさらに補正を加えて新規な撮影時のカメラ設定データとして設定できる。
【発明を実施するための最良の形態】
【００１３】
以下、図面を参照して本発明の実施例を説明する。  
図１から図５は本発明の第１実施例を示したものであり、図１は電子カメラの外観を示す斜視図である。
【００１４】
この電子カメラは、画像を記録するための記録手段としてＩＣカード１５を用いるようになっていて、該電子カメラの図１の手前側の面に、このＩＣカード１５を挿入するための挿入口が設けられている。
【００１５】
該電子カメラの上記ＩＣカード１５の挿入口の右上部には、被写体を観察するための画像表示手段であり情報表示手段でもある電子ビューファインダ（図中および以下では、ＥＶＦと略記する。）８が、その左側にはカメラの設定をオートにするかマニュアルにするかを切り換えるためのフルオート・マニュアル切換スイッチ２８が、さらに左側には電子カメラを記録モードにするかあるいは再生モードにするかを切り換えるためのモード切換スイッチ２３が設けられている。
【００１６】
また、該電子カメラの上面には、カメラの設定状態を表示するための情報表示手段であるＬＣＤ２７が、その右手前には記録時に動作開始を指示するためのトリガとなるレリーズボタン２６が、その左側方には上記ＩＣカード１５に記録されている画像データを再生するときに読み出すべき画像を選択するための複数のスイッチでなる画像選択スイッチ２４が設けられ、また、上記レリーズボタン２６と画像選択スイッチ２４の間には、カメラがマニュアルであるときにカメラの設定を行うためのカメラ設定キー２５と、同様にカメラがマニュアルであるときに露出等の補正操作を行うための補正操作キー２９と、後述する２画面を表示するための２画面操作キー３０と、後述する画像データの移動を行うための操作キー３１と、画像の消去を行うための消去キー３２とが設けられている。
【００１７】
さらに、電子カメラの側面にはビデオ信号出力端子３３が設けられていて、これにより、外部のモニタ等に接続して画像を観察することができるようになっている。
【００１８】
図２は上記電子カメラの、主として電気的構成に係る部分を示すブロック図である。  
光学レンズ１を通して入射された被写体光像は、所定の周波数特性を得るための光学ローパスフィルタ（図中では、光学ＬＰＦと略記する。）２を介してＣＣＤ３の撮像面に結像されるようになっている。
【００１９】
被写体光像はこのＣＣＤ３で光電変換されて映像信号として出力され、撮像プロセス回路４に入力されて電気的に信号処理されるようになっている。
【００２０】
撮像プロセス回路４を出力した映像信号は、Ａ／Ｄ変換回路５によってアナログ信号からデジタル信号に変換された後、フレームメモリコントロール回路６を介して後述する圧縮・伸長回路１３側に出力されるとともに、他方でＤ／Ａ変換回路７により再びアナログ信号に変換される。
【００２１】
このＤ／Ａ変換回路７の出力信号は、ビデオ信号出力端子３３からビデオ信号として出力され、このビデオ信号出力端子３３にモニタを接続することにより該モニタで画像を観察することができるようになっている。
【００２２】
上記Ｄ／Ａ変換回路７から出力された映像信号は、他方ではＥＶＦ８にも供給されて、このＥＶＦ８に内蔵された液晶等に画像を表示するようになっている。
【００２３】
上記フレームメモリコントロール回路６の出力は、圧縮・伸長回路１３に入力されて適当なデータ量に圧縮された後、カード・インターフェース１４を介して記録手段であるＩＣカード１５に記録されるようになっている。
【００２４】
一方、画像データを再生する場合は、上記ＩＣカード１５からカード・インターフェース１４を介して入力された画像データが、圧縮・伸長回路１３により伸長されて、フレームメモリコントロール回路６およびＤ／Ａ変換回路７を介してビデオ信号出力端子３３から出力される。
【００２５】
上記カード・インターフェース１４は、カメラの種々の制御を司る制御手段たるシステムマイコン１６により制御されるようになっていて、このシステムマイコン１６はやはり制御手段を構成するサブマイコン２１に電気的に接続されている。
【００２６】
このサブマイコン２１には、操作ボタン２２が電気的に接続されていて、この操作ボタン２２は、上述のモード切換スイッチ２３，画像選択スイッチ２４，カメラ設定キー２５，レリーズボタン２６，フルオート・マニュアル切換スイッチ２８，補正操作キー２９，２画面操作キー３０，操作キー３１，消去キー３２から構成されている。
【００２７】
これらからのスイッチ出力は、上記サブマイコン２１に入力され、システムマイコン１６を経由して、所望の回路系へ指令が出されるようになっている。
【００２８】
上記サブマイコン２１にはＬＣＤ２７が接続されていて、上記操作ボタン２２の各操作状況が表示されるようになっている。
【００２９】
さらに、該サブマイコン２１には電源２０が電気的に接続されていて、上記操作ボタン２２からの指令が該サブマイコン２１を経由して同電源２０の方へ送られるようになっている。
【００３０】
上記システムマイコン１６には、レンズ系の制御を司るレンズマイコン１２が電気的に接続されていて、上記操作ボタン２２から指令が入ると、該レンズマイコン１２は、上記サブマイコン２１およびシステムマイコン１６を経由してその指令を受け取り、ＡＦ・ズームモータ９を駆動して、レンズ１のズーム動作あるいはＡＦ動作を行うようになっている。
【００３１】
上記レンズマイコン１２には、ＡＦ・測光ゲートアレイ（図中および以下では、ＡＦ・測光Ｇ／Ａと略記する。）１０および電子ボリューム１１が電気的に接続されていて、これらＡＦ・測光Ｇ／Ａ１０，電子ボリューム１１はさらに上記撮像プロセス回路４に電気的に接続されている。
【００３２】
すなわち、上記レンズマイコン１２は、ＡＦ動作を行うために撮像プロセス回路４からＡＦ・測光Ｇ／Ａ１０に映像信号を取り込んで、所望のＡＦデータ値を読み込むようになっている。
【００３３】
また、上記カメラ設定キー２５から入力した指令は、サブマイコン２１，システムマイコン１６を経由してレンズマイコン１２に送られ、このレンズマイコン１２から電子ボリューム１１を介して撮像プロセス回路４の所望の調整箇所へ指令が送出されるようになっている。
【００３４】
上記レンズマイコン１２には測光回路１８を介して被写体の明るさを測定する測光センサ１７が電気的に接続されていて、この測光センサ１７の出力は該レンズマイコン１２で処理されるようになっている。
【００３５】
該レンズマイコン１２には、さらにストロボ１９が電気的に接続されていて、同レンズマイコン１２から指令を受けると、該ストロボ１９が発光して被写体を照射するようになっている。
【００３６】
図３は、記録手段である１枚のＩＣカード１５における保存データの論理的構造を示すための図である。
【００３７】
ＩＣカード１５は、複数枚の画像を例えばＤＯＳ（ディスクオペレーティングシステム）形式によるファイルの形で格納することができるように構成されていて、１枚毎の各画像に関する全ての情報は符号Ａ１，Ａ２，Ａ３，Ａ４……等に示す各領域にそれぞれ記録されている。
【００３８】
そして、これら符号Ａ１，Ａ２，Ａ３，Ａ４……等に示す１枚の画像に関する情報を記録する各領域は、大きく分けて、ヘッダ情報を記録するヘッダ部４１と、被写体から実際に取り込んでデジタルに変換して記録した被写体像の画像データを記録するための画像データ記録部４４とでなる。
【００３９】
また、上記ヘッダ部４１は、ＩＣカード１５に関する規格情報をヘッダ情報として記録させるための規格情報用ヘッダ部４２と、カメラ設定条件や日付等を自由にヘッダ情報として記録させるための書込情報用ヘッダ部４３との２つにさらに分けられる。
【００４０】
このようにして、ＩＣカード１５は、各画像情報を複数の領域に分割して記憶している。
【００４１】
次に図４は、電子カメラの操作に関する手順を示す概略フローチャートである。
【００４２】
撮影記録後に動作がスタートすると、まず、モード切換スイッチ２３からモードを切り換える入力があったか否かを判断し（ステップＳ１）、すなわち、撮影記録を行うモードであるカメラモードであるか、再生モードであるかを判断する。そしてカメラモードである場合には、後述するステップＳ８へ行く。
【００４３】
また、上記ステップＳ１で再生モードに入った場合には、該電子カメラに再生を行うよう指令が入力されたことになるので、上記ＩＣカード１５に記録されている画像情報から再生を行う（ステップＳ２）。
【００４４】
次に、ＩＣカード１５に記録されている複数の画像情報の内、現在再生されている画像が所望のものであるか否かを判断し（ステップＳ３）、所望のものであれば、後述するステップＳ４に行く。
【００４５】
一方、上記ステップＳ３で所望の画像でない場合は、画像選択スイッチ２４を操作して自分の好みに合った画像を選び出すことができる（ステップＳ５）。
【００４６】
そして、選択した画像の再生画を見て、その画像を撮影したときと全く同じカメラ設定にしたいか否かを判断し（ステップＳ４）、カメラ設定を行わない場合は、何の操作も行うことなく上記ステップＳ１に戻る。
【００４７】
一方、再生側のカメラ設定を実行すると判断した場合には、カメラ設定キー２５の操作により後述する各種のカメラの設定を行う（ステップＳ６）。
【００４８】
次に、モード切換スイッチ２３が操作されたか否かを判断し（ステップＳ７）、再生モードのままである場合には上記ステップＳ１に戻る。
【００４９】
また、上記ステップＳ７でカメラモードに切り換わった場合には、上記ステップＳ６で行ったカメラ設定により実際に撮影記録することになる。
【００５０】
このカメラモードに入った場合は、カメラでは記憶モードに入り、カメラスルー画がＥＶＦ８によって表示される（ステップＳ８）。
【００５１】
ここで、撮影を実行するか否かを判断し（ステップＳ９）、撮影したい場合は、レリーズボタン２６を押すことにより（ステップＳ１０）記録動作に入り（ステップＳ１１）、記録が終了すると上記ステップＳ８に戻る。
【００５２】
また、上記ステップＳ９において撮影を実行しないと判断した場合は、カメラスルー画を表示しただけで終了する。
【００５３】
図５は上記図４に示した電子カメラの操作に関する処理をより詳しく示したフローチャートである。
【００５４】
撮影記録後、モード切換えを行い（ステップＳ２１）、ここでカメラモードに入った場合には、サブマイコン２１によりカメラモードに切り換えて（ステップＳ３６）後述するステップＳ３２へ行き、一方、再生モードに入った場合には、サブマイコン２１により再生モードに切り換える（ステップＳ２２）。
【００５５】
ＩＣカード１５からコマナンバー１の画像データを呼び出して再生する（ステップＳ２３）。
【００５６】
ここで操作者が画像選択の判断を行い（ステップＳ２４）、その画像を所望しなければ引き続き画像選択スイッチ２４の操作を行い（ステップＳ３７）、この操作を行うことによってＩＣカード１５から画像選択スイッチ２４によって選びだされた画像データを再生する（ステップＳ３８）。
【００５７】
その後、あるいは上記ステップＳ２４において選択した画像がオーケーならば、カメラ設定を実行するか否かを判断し（ステップＳ２５）、カメラ設定を実行しない場合には、上記ステップＳ２１まで戻る。
【００５８】
上記ステップＳ２５において、カメラ設定を実行すると判断した場合には、カメラ設定キー２５の操作を行い（ステップＳ２６）、画像のヘッダ情報をシステムマイコン１６へ記憶する動作を行う（ステップＳ２７）。
【００５９】
その後、記録／再生のモード切換スイッチ２３が操作されたか否かを判断し（ステップＳ２８）、再生モードである場合は上記ステップＳ２１に戻る。
【００６０】
上記ステップＳ２８においてカメラモードである場合は、サブマイコン２１によってカメラモードに切り換える動作を行う（ステップＳ２９）。
【００６１】
その後、画像のヘッダ情報をシステムマイコン１６によりレンズマイコン１２およびカードインターフェイス１４へ送り、つまり該ヘッダ情報に含まれるカメラ設定の指示に関する情報を送る（ステップＳ３０）。
【００６２】
次に、各部のカメラ設定を実行する動作に入り（ステップＳ３１）、カメラスルー画を表示し（ステップＳ３２）、操作者がカメラ設定を実行するかを判断する（ステップＳ３３）。
【００６３】
ここでそのカメラの設定によって撮影したい場合は、レリーズボタン２６を操作し（ステップＳ３４）、カメラでは記録処理を行う（ステップＳ３５）。
【００６４】
記録処理を行った後は上記ステップＳ３２に再び戻ってカメラスルー画を表示し、上記ステップＳ３３で撮影するか否かを判断して、撮影しない場合は処理を終了する。
【００６５】
また、上記ヘッダ情報に記録するカメラの設定条件としては、例えばカメラのシャッタ速度，カメラのゲイン，カメラのホワイトバランス補正，カメラの色補正，ストロボの設定，ＩＣカードに記録する場合の圧縮モード，レンズのズーム値などが挙げられる。
【００６６】
このような第１実施例によれば、既に撮影された画像のヘッダ部に記録されたカメラの設定条件に基づいて、容易にカメラの設定を行って撮影することができる。
【００６７】
図６から図１０は本発明の第２実施例を示したものである。この第２実施例において、上述の第１実施例と同様である部分については説明を省略し、主として異なる点についてのみ説明する。
【００６８】
この第２実施例における電子カメラの外観は上記図１に示したものと同様であり、またその電気的構成に関しては上記図２に示したものと同様であり、さらに、ＩＣカード１５に保存するデータの内訳は上記図３に示したものと同様である。
【００６９】
次に図６を参照して、この第２実施例における動作をまず概略的に説明する。  
被写体を撮像して記録した後、操作者によってモード切換スイッチ２３が操作されたか否かを判断し（ステップＳ４１）、カメラモードに入った場合は後述するステップＳ５３へ行く。
【００７０】
一方、再生モードに入った場合は、実際に再生の動作を行い（ステップＳ４２）、その後、画像選択の判断を行う（ステップＳ４３）。
【００７１】
ここでその画像を所望しなければ画像選択スイッチ２４を操作して所望の画像を選択し（ステップＳ４４）、選択した画像がオーケーならばそのままカメラ設定を実行するか否かを判断する（ステップＳ４５）。
【００７２】
カメラ設定を実行しない場合には上記ステップＳ４１に戻り、実行する場合はカメラ設定キー２５を操作する（ステップＳ４６）。
【００７３】
そして、カメラ設定用の再生画から読み出したヘッダ部のカメラ設定情報がフルオートであるかマニュアルであるかをカメラが判断し（ステップＳ４７）、フルオートである場合はカメラ設定が不可能である旨の表示をカメラが行い（ステップＳ４８）、上記ステップＳ４１に戻る。
【００７４】
一方、上記ステップＳ４７でマニュアルである場合は、再生画から読み出したカメラ設定条件をＬＣＤ２７またはＥＶＦ８によって表示する（ステップＳ４９）。
【００７５】
この表示を見てカメラ設定実行をするか否かを操作者が判断し（ステップＳ５０）、実行しない場合は上記ステップＳ４１に戻り、また、表示された設定でオーケーならば、カメラ設定キー２５を操作する（ステップＳ５１）。
【００７６】
次に、モード切換スイッチ２３を操作し（ステップＳ５２）、再生モードであれば上記ステップＳ４１に戻り、カメラモードである場合はカメラスルー画を表示する（ステップＳ５３）。
【００７７】
そして、撮影を実行するかどうかを操作者が判断し（ステップＳ５４）、実行する場合はレリーズボタン２６を押して（ステップＳ５５）、このレリーズボタン２６の指令を受けたカメラは記録動作に入る（ステップＳ５６）。
【００７８】
この記録動作が終了したら上記ステップＳ５３に戻ってカメラスルー画を表示し、上記ステップＳ５４で再び撮影を実行するか否かを判断し、撮影を行わない場合には終了する。
【００７９】
次に図７および図８は、上記図６の処理をさらに詳しく示したフローチャートである。これら図７および図８は本来は１つの図面であるが、便宜上２つに分割したものである。
【００８０】
撮影記録後にモード切換スイッチ２３により再生モードにするか、カメラモードにするかを判断する（ステップＳ６１）。
【００８１】
カメラモードである場合は、サブマイコン２１によってカメラモードに切り換えて（ステップＳ８４）、後述するステップＳ８０へ行く。
【００８２】
一方、再生モードである場合は、サブマイコン２１によって再生モードに切り換える（ステップＳ６２）。
【００８３】
再生モードでは、ＩＣカード１５からコマナンバー１の画像データを読み出して再生を行う（ステップＳ６３）。
【００８４】
その再生画像が所望のものであるかどうかを操作者側が判断し（ステップＳ６４）、所望のものでない場合には、画像選択スイッチ２４を操作して（ステップＳ６５）、ＩＣカード１５から画像選択スイッチ２４によって選択した画像データを再生し（ステップＳ６６）、後述するステップＳ６７へ行く。
【００８５】
その後、あるいは上記ステップＳ６４で再生画像が所望のものである場合には、カメラ設定を実行するか否かを判断する（ステップＳ６７）。
【００８６】
カメラ設定を実行しない場合には上記ステップＳ６１へ戻り、一方、再生した画像を見てカメラ設定を実行すると判断した場合は、カメラ設定キー２５を操作して（ステップＳ６８）、その再生画像の画像データおよびヘッダ情報をシステムマイコン１６へ送出する（ステップＳ６９）。
【００８７】
ここで該ヘッダ情報が、フルオートであるかマニュアルであるかをカメラが判断し（ステップＳ７０）、フルオートである場合は、カメラ設定が不可である旨を表示して（ステップＳ７１）、上記ステップＳ６１へ戻る。
【００８８】
一方、上記ステップＳ７０でマニュアルである場合には、カメラ設定条件をＬＣＤ２７またはＥＶＦ８の少なくとも一方に表示する（ステップＳ７２）。
【００８９】
次に、カメラ設定を実行するか否かを操作者が判断し（ステップＳ７３）、設定を行わない場合には上記ステップＳ６１へ戻り、設定を行う場合はカメラ設定キー２５を操作する（ステップＳ７４）。
【００９０】
このステップＳ７４の操作を行うことにより、カメラが画像のヘッダ情報をシステムマイコン１６へ記録する（ステップＳ７５）。
【００９１】
その後、モード切換スイッチ２３を操作者側で操作し（ステップＳ７６）、再生モードである場合は上記ステップＳ６１へ戻り、一方、カメラモードである場合は、サブマイコン２１によってカメラモードに切り換える（ステップＳ７７）。
【００９２】
そして、システムマイコン１６がヘッダ情報をレンズマイコン１２およびカードインターフェース１４へ送り、つまり該ヘッダ情報に含まれるカメラ設定の指示を送る（ステップＳ７８）。
【００９３】
次に、各部のカメラ設定を実行し（ステップＳ７９）、新たにカメラ設定されたカメラスルー画を表示して（ステップＳ８０）、操作者側が撮影を行うか否かを判断する（ステップＳ８１）。
【００９４】
ここで撮影を行う場合は、レリーズボタン２６を操作して（ステップＳ８２）、このレリーズ信号を受けてＩＣカード１５への記録処理を行う（ステップＳ８３）。
【００９５】
記録が終了すると、上記ステップＳ８０へ戻って再びカメラスルー画を表示し、上記ステップＳ８１で撮影を行うか否かを判断して、撮影を行わない場合には終了する。
【００９６】
上記カメラ設定は、ＥＶＦ８もしくはＬＣＤ２７の少なくとも一方、あるいは両方ともに表示するようになっている。また、このカメラ設定は、ビデオ信号出力端子３３からの出力によって外部モニタ等によっても確認することができる。
【００９７】
図９は、カメラ設定をＥＶＦ８で表示したときの様子を示す図である。  
図中の符号９１および符号９２に示すように、カメラの設定が表示されていて、すなわちこの場合には、シャッタ速度が１／５００秒、ホワイトバランスが０、色補正が０、色相が＋１であることなどが表示されている。なお、ＭＥはマニュアル露出を示す。
【００９８】
また図１０は、カメラ設定をＬＣＤ２７によって表示したときの様子を示す図である。  
図示の例では、符号９３に示すように、記録データが圧縮されているか否かについての情報が表示され、圧縮されていない場合には符号Ｎのようにノーマルモードであることが容易に視認できるように示される。また、符号９４に示すように、ストロボが充電されたか否かを示す情報も表示される。
【００９９】
このような第２実施例によれば、上述の第１実施例とほぼ同様の効果を奏するとともに、ヘッダ部に記録された情報からフルオートかマニュアルかを判別して対応することができ、設定が不可であるときは警告を行うとともに、さらにカメラの設定条件を視覚により容易に確認することができる。
【０１００】
図１１，図１２は本発明の第３実施例を示したものであり、この第３実施例において、上述の第１，第２実施例と同様である部分については説明を省略し、主として異なる点についてのみ説明する。
【０１０１】
この第３実施例における電子カメラの外観は上記図１に示したものと同様であり、またその電気的構成に関しては上記図２に示したものと同様であり、さらに、ＩＣカード１５に保存するデータの内訳は上記図３に示したものと同様である。
【０１０２】
次に、図１１および図１２を参照してこの第３実施例の動作を説明する。これら図１１および図１２は本来は１つの図面であるが、便宜上２つに分割したものである。
【０１０３】
撮影記録後、操作者はモード切換スイッチ２３を操作し（ステップＳ９１）、カメラモードである場合は、サブマイコン２１によりカメラモードに切り換えて（ステップＳ１１７）、後述するステップＳ１１３へ行く。
【０１０４】
また、上記ステップＳ９１で再生モードである場合には、サブマイコン２１によって実際に再生モードに切り換えて（ステップＳ９２）、ＩＣカード１５からコマナンバー１の画像データを読み出して再生する（ステップＳ９３）。
【０１０５】
操作者はその再生画像が所望のものであるか否かを判断し（ステップＳ９４）、所望のものでない場合には、画像選択スイッチ２４を操作して（ステップＳ９５）、ＩＣカード１５から画像選択スイッチ２４によって選び出された画像を再生する（ステップＳ９６）。
【０１０６】
その後、あるいは上記ステップＳ９４において画像選択がオーケーである場合は、その再生画を確認しながらカメラ設定を実行するか否かを判断し（ステップＳ９７）、設定を行わない場合には上記ステップＳ９１へ戻る。
【０１０７】
また、カメラ設定を行う場合には、カメラ設定キー２５を操作し（ステップＳ９８）、画像データおよびヘッダ情報をシステムマイコン１６へ送出する（ステップＳ９９）。
【０１０８】
その後、カメラ設定条件をビデオ信号のキャラクタとして、ＥＶＦ８およびＬＣＤ２７に表示する（ステップＳ１００）。
【０１０９】
この表示された内容を見て、操作者はカメラ設定の補正を実行するかどうかを判断し（ステップＳ１０１）、補正しない場合には後述するステップＳ１０５へ行く。
【０１１０】
一方、カメラ設定の補正を行う場合には、補正操作キー２９を操作し（ステップＳ１０２）、この補正操作キー２９からの補正量を基にシステムマイコン１６によって画像データおよびヘッダ情報を演算処理する（ステップＳ１０３）。
【０１１１】
その後、その演算処理を行った補正後の画像データを再生し、さらにその補正後のカメラ設定の条件を表示する（ステップＳ１０４）。
【０１１２】
上記ステップＳ１０４で再生された画像データおよびカメラの設定条件を参照して、操作者はその画像補正がオーケーであるかどうかを判断し（ステップＳ１０５）、オーケーでない場合は、上記ステップＳ１０２に戻る。
【０１１３】
一方、その画像補正でオーケーである場合は、カメラ設定を実行をするかどうかを判断し（ステップＳ１０６）、実行しない場合は上記ステップＳ９１に戻る。
【０１１４】
また、カメラ設定を行う場合には、操作者はカメラ設定キー２５を操作し（ステップＳ１０７）、補正した後の画像のヘッダ情報をシステムマイコン１６へ記憶する（ステップＳ１０８）。
【０１１５】
そして、モード切換スイッチ２３を操作し（ステップＳ１０９）、再生モードである場合は上記ステップＳ９１へ戻り、カメラモードである場合はサブマイコン２１によってカメラモードに切り換える（ステップＳ１１０）。
【０１１６】
次に、上述の補正した画像のヘッダ情報をシステムマイコン１６からレンズマイコン１２およびカードインターフェイス１４へ送出し、つまり該ヘッダ情報に含まれるカメラ設定の指示を送る（ステップＳ１１１）。
【０１１７】
その後、各部のカメラ設定を実行し（ステップＳ１１２）、カメラスルー画を表示する（ステップＳ１１３）。
【０１１８】
このスルー画を確認しながら、操作者は撮影を行うかどうかを判断し（ステップＳ１１４）、撮影する場合には、レリーズボタン２６を操作し（ステップＳ１１５）、記録処理を行い（ステップＳ１１６）、記録処理後に上記ステップＳ１１３に戻ってカメラスルー画を表示して、上記ステップＳ１１４で撮影を行うかどうかを判断し、撮影を行わない場合には終了する。
【０１１９】
なお、カメラ設定の条件は、ＥＶＦ８およびＬＣＤ２７により、上記図９，図１０と同様に表示する。
【０１２０】
このような第３実施例によれば、上述の第１，第２実施例とほぼ同様の効果を奏するとともに、カメラの設定条件を補正して、補正後の画像状態をシミュレーションすることができる。
【０１２１】
図１３から図１５は本発明の第４実施例を示したものであり、この第４実施例において、上述の第１から第３実施例と同様である部分については説明を省略し、主として異なる点についてのみ説明する。
【０１２２】
この第４実施例における電子カメラの外観は上記図１に示したものと同様であり、またその電気的構成に関しては上記図２に示したものと同様であり、さらに、ＩＣカード１５に保存するデータの内訳は上記図３に示したものと同様である。
【０１２３】
次に、図１３および図１４を参照してこの第４実施例の動作を説明する。これら図１３および図１４は本来は１つの図面であるが、便宜上２つに分割したものである。
【０１２４】
撮影記録された後、モード切換スイッチ２３によってカメラモードにするか再生モードにするかを判断する（ステップＳ１２１）。
【０１２５】
カメラモードである場合は、カメラはサブマイコン２１によってカメラモードに切り換えて（ステップＳ１４８）、後述するステップＳ１４４へ行く。
【０１２６】
上記ステップＳ１２１で再生モードである場合は、カメラはサブマイコン２１によって再生モードに切り換えて（ステップＳ１２２）、ＩＣカード１５からコマナンバー１の画像データを呼び出して再生画を表示する（ステップＳ１２３）。
【０１２７】
次に、操作者は画像選択の判断を行い（ステップＳ１２４）、再生された画像が所望のものでない場合には、画像選択スイッチ２４を操作し（ステップＳ１２５）、ＩＣカード１６から画像選択スイッチ２４によって画像選択を行い、カメラが画像データを再生する（ステップＳ１２６）。
【０１２８】
その後、あるいは上記ステップＳ１２４において、再生された画像が所望のものであるならば、カメラ設定を実行するか否かを判断し（ステップＳ１２７）、実行しない場合には上記ステップＳ１２１へ戻る。
【０１２９】
一方、カメラ設定を実行したい場合は、カメラ設定キー２５を操作して（ステップＳ１２８）、その再生した画像の画像データおよびヘッダ情報をカメラ側で読み出して、システムマイコン１６へ送る（ステップＳ１２９）。
【０１３０】
そして、カメラ設定条件をビデオ信号キャラクタにて、ＥＶＦ８，ＬＣＤ２７に表示する（ステップＳ１３０）。
【０１３１】
次に、カメラ設定を補正するかどうかを判断し（ステップＳ１３１）、設定が不要であれば、後述するステップＳ１３５へ行き、設定が必要である場合は、補正操作キー２９の操作を行う（ステップＳ１３２）。
【０１３２】
この補正操作の補正量に基づいて、カメラでは、システムマイコン１６において、その補正量に合ったヘッダ情報の演算処理を行う（ステップＳ１３３）。
【０１３３】
補正後の画像データを再生し、そのときのカメラの設定条件を表示し（ステップＳ１３４）、補正前の画像と補正後の画像を比較するか否かを判断する（ステップＳ１３５）。
【０１３４】
ここで、比較する必要がなければ、後述するステップＳ１３８へ行き、比較する必要がある場合は、２画面操作キー３０を押して（ステップＳ１３６）、カメラが補正前の画像および補正後の画像を２画面の再生画として表示する（ステップＳ１３７）。
【０１３５】
その後、画像補正がオーケーかどうかを判断し（ステップＳ１３８）、補正する必要があれば上記ステップＳ１３２に戻り、オーケーであれば、画像のヘッダ情報をシステムマイコン１６に記憶する（ステップＳ１３９）。
【０１３６】
そして、モード切換スイッチ２３を操作して（ステップＳ１４０）、再生モードに入った場合には上記ステップＳ１２１へ戻り、カメラモードに入った場合には、サブマイコン２１によってカメラモードに切り換える（ステップＳ１４１）。
【０１３７】
その後、ヘッダ情報をシステムマイコン１６がレンズマイコン１２およびカードインターフェイス１４へ送出し、つまり該ヘッダ情報に含まれるカメラ設定の指示を送る（ステップＳ１４２）。
【０１３８】
次に、各部のカメラ設定を実行し（ステップＳ１４３）、カメラではこの新たに設定されたカメラ設定のカメラスルー画を表示する（ステップＳ１４４）。
【０１３９】
操作者は、その画像を確認しながら撮影するかどうかを判断し（ステップＳ１４５）、撮影する場合には、レリーズボタン２６を押して（ステップＳ１４６）、記録処理を行い（ステップＳ１４７）、上記ステップＳ１４４に戻って再びカメラスルー画を表示する。
【０１４０】
その後、上記ステップＳ１４５で新たに撮影するかどうかを判断し、撮影を行わない場合には処理を終了する。
【０１４１】
図１５は、実際に表示される画面を示す図である。
【０１４２】
２画面表示する前のカメラ設定条件においては、図１５（Ａ）に示すように表示され、すなわち、撮像した被写体の画像とともに、符号５８に示すシャッタ速度やホワイトバランス等の実際のカメラ設定をキャラクタとして表示する。
【０１４３】
次に、上記ステップＳ１３７で説明したように、補正操作を行って、補正前後の画像を２画面再生すると、図１５（Ｂ）に示すようになり、すなわち、符号５８に示す補正前のカメラ設定条件と、符号５９に示す補正後のカメラ設定条件とが、その設定条件における被写体の画像とともに並んで表示される。
【０１４４】
また、上記ステップＳ１４０でモード切換えしてカメラモードに入り、補正後の画像再生を１画面で表示すると、図１５（Ｃ）に示すようになり、すなわち、符号５９に示す補正後のカメラ設定条件を表示する。
【０１４５】
このような第４実施例によれば、上述の第１から第３実施例とほぼ同様の効果を奏するとともに、補正前後の画像を同時に見て比較することができる。
【０１４６】
図１６から図１９は本発明の第５実施例を示したものであり、この第５実施例において、上述の第１から第４実施例と同様である部分については説明を省略し、主として異なる点についてのみ説明する。
【０１４７】
この第５実施例における電子カメラの外観は上記図１に示したものと同様であり、またその電気的構成に関しては上記図２に示したものと同様である。
【０１４８】
また図１６は、記録手段である１枚のＩＣカード１５における保存データの論理的構造を示すための図である。
【０１４９】
ＩＣカード１５は、複数枚の画像をファイルすることができるように構成されていて、１枚毎の各画像に関する全ての情報は符号ａ１，ａ２，ａ３，ａ４……等に示す各領域にそれぞれ記録されている。
【０１５０】
そして、これら符号ａ１，ａ２，ａ３，ａ４……等に示す１枚の画像に関する情報を記録する各領域は、大きく分けて、ヘッダ情報を記録するヘッダ部５１と、被写体から実際に取り込んでデジタルに変換して記録した被写体像の画像データを記録するための画像データ記録部５６とでなる。
【０１５１】
また、上記ヘッダ部５１は、ＩＣカード１５の記録に関する規格情報をヘッダ情報として記録させるための規格情報用ヘッダ部５２と、それ以外のヘッダ情報を記録させるための書込情報用ヘッダ部５３に分類され、この書込情報用ヘッダ部５３はさらに、カメラ設定のコピー元のコマ番号の情報を記憶させる領域５４と、カメラ設定条件や日付等を自由にヘッダ情報として記録させるための領域５５との２つに分けられる。
【０１５２】
このようにして、ＩＣカード１５は、各画像情報を複数の領域に分割して記憶している。
【０１５３】
次に、図１７を参照してこの第５実施例の動作を説明する。  
撮影記録された後、モード切換スイッチ２３を操作し（ステップＳ１５１）、カメラモードにする場合は、カメラではサブマイコン２１によってカメラモードに切り換えて（ステップＳ１６５）終了する。
【０１５４】
一方、上記ステップＳ１５１で再生モードにする場合は、サブマイコン２１によってカメラを再生モードに切り換えて（ステップＳ１５２）、ＩＣカード１５からコマナンバー１の画像データを読み出して再生画を表示する（ステップＳ１５３）。
【０１５５】
操作者は再生画が所望のものであるかどうかを判断し（ステップＳ１５４）、所望のものでない場合は、画像選択スイッチ２４を操作して（ステップＳ１５５）、ＩＣカード１５から画像選択スイッチ２４によって選出した画像データを再生する（ステップＳ１５６）。
【０１５６】
その後、あるいは上記ステップＳ１５４において再生画が所望のものである場合は、２画面表示するかどうかを判断し（ステップＳ１５７）、２画面表示しない場合にはそのまま終了する。
【０１５７】
上記ステップＳ１５７において、２画面表示する場合には、２画面操作キー３０を操作して（ステップＳ１５８）、ＩＣカード１５の中からカメラ設定の元データをもっている画像データを検索する（ステップＳ１５９）。
【０１５８】
その検索結果に基づいて、ＩＣカード１５の中にカメラ設定の元データがあるか否かを判断し（ステップＳ１６０）、元データがある場合は、元データの持っている画像データと画像選択した画像データとの各々のカメラ設定の条件を表示して再生する（ステップＳ１６１）。
【０１５９】
一方、元データがない場合は、２画面表示することができないので、２画面表示を禁止し（ステップＳ１６２）、２画面表示ができない旨を表示する（ステップＳ１６３）。
【０１６０】
上記ステップＳ１６１またはステップＳ１６３が終了したら、２画面操作キー３０を操作して（ステップＳ１６４）、２画面表示で再生を行って（ステップＳ１６６）終了する。
【０１６１】
次に、図１６を参照して、図１７に関する説明を補足する。  
図１７の上記ステップＳ１５９における元データについて、最初に図１６の符号ａ１に示す領域に、新規に撮影した画像に関するデータだけが書き込まれているとする。
【０１６２】
この場合には、この符号ａ１の領域の画像は新規に撮影されたものであるために、領域５４にはコピー元のコマ番号情報、つまり符号ａ１の領域５５に書き込まれたカメラ設定はどのコマのデータをコピーしたものであるかを示すコマ番号情報は何も書き込まれていない。
【０１６３】
次に、１枚目を撮影したときのカメラ設定と同じ条件で２枚目を撮影したとすると、符号ａ２の領域５５には、符号ａ１の領域５５に記録されているカメラ設定がコピーして書き込まれる。
【０１６４】
これと同時に、符号ａ２の領域５４にコピー元のコマ番号情報、つまり符号ａ２の領域５５に書き込まれたカメラ設定はどのコマのデータをコピーしたものであるかに関するコマ番号情報を書き込む。
【０１６５】
この場合には、符号ａ２に示す領域には、符号ａ１に示す領域からカメラ設定情報をコピーしたものである旨のコマ番号情報が書き込まれる。すなわち、「１」である。
【０１６６】
さらに、３枚目を撮影する際に、例えば１枚目を撮影したときと類似した条件で撮影したい場合には、該１枚目のカメラ設定そのものではなく、これを加工したカメラ設定で撮影することもできる。
【０１６７】
この場合にも、符号ａ３に示す領域には、符号ａ１に示す領域からカメラ設定情報をコピーしたものである旨のコマ番号情報が書き込まれる。
【０１６８】
このようにして順次撮影を行った後、例えば領域ａ２の画像を再生しようとするときに、この領域ａ２の画像を撮影する際にカメラ設定を参照した元の画像も同時に見たい場合には、該領域ａ２の領域５５に書き込まれているコマ番号情報に基づいて元の画像を検索し（ステップＳ１５９，Ｓ１６０参照）、図１８に示すように、２画面表示を行うことになる。
【０１６９】
すなわち、図１８に示すように、ＩＣカード１５中の領域ａ１から再生した元の画像６１と、そのカメラ設定に基づいて新たに撮影した同ＩＣカード１５中の領域ａ２から再生した画像６２を、並べて同時に２画面表示する。
【０１７０】
そして、これらの画像６１，６２には、カメラ設定の条件６３，６４および画像のコマ番号６５，６６がそれぞれ表示される。
【０１７１】
上述のように、ある画像データとその元の画像データとが同一のＩＣカードに記録されている場合には２画面表示を行うことができるが、これらが例えば互いに異なるＩＣカードに記録されている場合などには、２画面表示を禁止して（ステップＳ１６２参照）、２画面表示を行うことができない旨の表示を行って処理を終了する（ステップＳ１６３参照）。
【０１７２】
上述の第４実施例では、すでに記録された画像データと、画像データを補正したものとを２画面表示しているのに対して、この第５実施例では、ある画像データと、その画像データを撮影する際にカメラ設定を参照した元の画像データとの互いに異なる複数の画像について比較等を行うために同時に２画面表示している。
【０１７３】
なお、上述では２画面表示を行う場合を説明したが、これに限定されるものではなく、図１９に示すように、例えば３画面を同時に表示しても良い。
【０１７４】
すなわち、カメラ設定条件の基準となった画像７０に対して、これを元に新たに撮影した画像が画像７１と画像７２の複数ある場合に、これらを同時に表示するとともに、その各々のカメラ設定条件のデータを符号７４，７５，７６に示すように領域７３に表示する。
【０１７５】
このような第５実施例によれば、上述の第１から第４実施例とほぼ同様の効果を奏するとともに、ヘッダ部の情報に基づいて、元データを容易に検索することができる。
【０１７６】
図２０から図２２は本発明の第６実施例を示したものであり、この第６実施例において、上述の第１から第５実施例と同様である部分については説明を省略し、主として異なる点についてのみ説明する。
【０１７７】
この第６実施例は、上述の第５実施例をさらに応用したものであり、電子カメラの外観は上記図１に示したものと、またその電気的構成に関しては上記図２に示したものと、さらに、ＩＣカード１５に保存するデータの内訳は上記図１６に示したものとそれぞれ同様である。
【０１７８】
次に、図２０および図２１を参照してこの第４実施例の動作を説明する。これら図２０および図２１は本来は１つの図面であるが、便宜上２つに分割したものである。
【０１７９】
撮影記録後、モード切換スイッチ２３を操作して（ステップＳ１７１）、カメラモードになった場合はそのまま終了し、再生モードになった場合は、サブマイコン２１から指令を送って再生モードに切り換える（ステップＳ１７２）。
【０１８０】
次に、ＩＣカード１５からコマナンバー１の画像データを読み出して再生し（ステップＳ１７３）、その再生画像が所望の画像であるか否かを判断する（ステップＳ１７４）。
【０１８１】
所望の画像でない場合には、画像選択スイッチ２４を操作して（ステップＳ１７５）、ＩＣカード１５から所望の画像を選び出してその画像データを再生する（ステップＳ１７６）。
【０１８２】
その後、あるいは上記ステップＳ１７４において所望の画像である場合には、２画面表示を行うかどうかを判断する（ステップＳ１７７）。
【０１８３】
２画面表示する必要がなければそのまま終了し、表示する場合は２画面操作キー３０を操作する（ステップＳ１７８）。
【０１８４】
これによって、ＩＣカード１５から、上記ステップＳ１７４において画像選択スイッチ２４によって選択された再生画のヘッダ部を参照し、カメラ設定の基準となったコピー元の画像のコマ番号情報を得て検索する（ステップＳ１７９）。
【０１８５】
そのＩＣカード１５の中にコピー元となった画像があるか否かをカメラが検索し（ステップＳ１８０）、元画像がない場合は２画面表示ができないと判断して２画面表示を禁止し（ステップＳ１８１）、サブマイコン２１が２画面表示が不可能である旨を表示して（ステップＳ１８２）、処理を終了する。
【０１８６】
一方、上記ステップＳ１８０において、ＩＣカード１５の中にコピー元の画像があると判断した場合は、システムマイコン１６が上記ステップＳ１７４で選択した画像とカメラ設定のコピー元となった画像を２画面再生するとともに、サブマイコン２１が各々の画像の設定表示を行う（ステップＳ１８３）。
【０１８７】
これにより、図２２（Ａ）に示すような２画面表示がされる。すなわち、符号８１に示すようなコピー元の画像と、この画像のカメラ設定に基づいて新たに撮影した符号８２に示すような画像とが、並んで同時に表示される。
【０１８８】
そして、これら符号８１，８２に示す画像には、カメラ設定の条件８３，８４および画像のコマ番号８５，８６がそれぞれ表示される。
【０１８９】
次に、このように表示された２画面のいずれかを消去するか否かを判断する（ステップＳ１８４）。
【０１９０】
消去する必要がなければそのまま処理を終了し、消去処理が必要な場合は、画像選択スイッチ２４を操作する（ステップＳ１８５）。
【０１９１】
この画像選択スイッチ２４の操作により、消去すべき画像が、上記ステップＳ１７４で選択した画像か、あるいは上記ステップＳ１７９で検索したコピー元の画像かを判断する（ステップＳ１８６）。
【０１９２】
ここで、ステップＳ１７４で選択したコピー元でない画像を消去する場合は、サブマイコン２１によってその画像が消去対象に選択されている旨を画面に表示し（ステップＳ１８７）、消去キー３２を操作し（ステップＳ１８８）、該サブマイコン２１によって消去が完了したことを、図２２（Ｂ）に示すようなイレース（ＥＲＡＳＥ）という消去表示８７により画面に表示する（ステップＳ１８９）。
【０１９３】
操作者は、確認の意味で消去操作に入り、レリーズボタン２６を操作し（ステップＳ１９０）、システムマイコン１６からＩＣカード１５へその画像のデータおよびヘッダ部の消去を行うよう指令する（ステップＳ１９１）。
【０１９４】
システムマイコン１６によって２画面表示をするが、選択して消去したコピー元でない画像データは、何も画像が表示されないダークとして再生を行うように処理し、一方、コピー元となった画像はそのままの状態で表示され、すなわち図２２（Ｃ）に示すようになり、領域８８には画像は表示されない（ステップＳ１９２）。
【０１９５】
２画面操作キー３０を操作して１画面の表示に戻り（ステップＳ１９３）、サブマイコン２１によりコマ番号表示をするとともにシステムマイコン１６によりダークの画像を表示して（ステップＳ１９４）処理を終了する。
【０１９６】
また、上記ステップＳ１８６において、コピー元となる画像を消去する場合には、サブマイコン２１によってそのコピー元の画像が消去対象になっている旨を識別表示する（ステップＳ１９５）。
【０１９７】
そして、コピー元でない選択した画像を、コピー元の画像を消去したときに空白となる部分に移すかどうかを判断する（ステップＳ１９６）。
【０１９８】
ここで、コピー元でない新たに撮影した画像を移す場合には、消去キー３２と操作キー３１を同時に操作して（ステップＳ１９７）、サブマイコン２１により消去表示を行う（ステップＳ１９８）。
【０１９９】
レリーズボタン２６を操作して消去を行い（ステップＳ１９９）、カメラではシステムマイコン１６からＩＣカード１５へそのコピー元の画像データおよびヘッダ情報の消去を行うよう指令する（ステップＳ２００）。
【０２００】
その後、システムマイコン１６はコピー元でない選び出した画像データおよびヘッダ部を呼び出し（ステップＳ２０１）、システムマイコン１６からＩＣカード１５へ指令を出して、そのコピー元の画像を消去した部分にその呼び出したコピー元でない画像データおよびヘッダ部を移動させる（ステップＳ２０２）。
【０２０１】
そして、システムマイコン１６によって２画面表示をするが、コピー元の画像が表示されていたエリアにステップＳ１７４で選択したコピー元でない画像を表示して、この画像が元は表示されていた場所にはダーク再生を行い、すなわち、図２２（Ｄ）に示すように表示される（ステップＳ２０３）。
【０２０２】
次に、２画面操作キー３０を操作して１画面表示に戻り（ステップＳ２０９）、サブマイコン２１によりコマ数の設定表示を行うとともにシステムマイコン１６により上記ステップＳ１７４で選出して移動した画像を再生する（ステップＳ２１０）。
【０２０３】
一方、上記ステップＳ１９６において、コピー元の画像を消去した後の空欄をそのままにしておくとともに、上記ステップＳ１７４で選んだ画像もそこにそのまま残しておく場合には、消去キー３２を操作し（ステップＳ２０４）、サブマイコン２１により消去表示を行う（ステップＳ２０５）。
【０２０４】
そして、レリーズボタン２６が操作されると（ステップＳ２０６）、システムマイコン１６からＩＣカード１５へコピー元の画像を消去するよう指令が送られて実行され（ステップＳ２０７）、その後の２画面表示では消去されたコピー元の画像が表示されていた部分はダーク再生され、すなわち、図２２（Ｅ）に示すように表示される（ステップＳ２０８）。その後、上記ステップＳ２０９およびステップＳ２１０を行って処理を終了する。
【０２０５】
このような第６実施例によれば、上述の第１から第５実施例とほぼ同様の効果を奏するとともに、表示された所望の画像を消去することができるために、ＩＣカードの記憶容量を有効に使えるとともに、画像の順序を入れ替えることができるために、データを順序良く整理することができる。  
【図面の簡単な説明】
【０２０６】
【図１】本発明の第１実施例の電子カメラの外観を示す斜視図。
【図２】上記第１実施例の電子カメラの主として電気的構成に係る部分を示すブロック図。
【図３】上記第１実施例のＩＣカードにおける保存データの論理的構造を示す図。
【図４】上記第１実施例の電子カメラの操作に関する手順を示す概略フローチャート。
【図５】上記図４に示した電子カメラの操作に関する処理をより詳しく示したフローチャート。
【図６】本発明の第２実施例の電子カメラの操作に関する流れを概略的に示すフローチャート。
【図７】上記図６に示した電子カメラの操作に関する処理をより詳しく示したフローチャートの一部。
【図８】上記図６に示した電子カメラの操作に関する処理をより詳しく示したフローチャートの他の一部。
【図９】上記第２実施例の電子ビューファインダにおけるカメラ設定の表示状態を示す図。
【図１０】上記第２実施例のＬＣＤにおけるカメラ設定の表示状態を示す図。
【図１１】本発明の第３実施例の電子カメラの操作に関する処理を示したフローチャートの一部。
【図１２】上記第３実施例の電子カメラの操作に関する処理を示したフローチャートの他の一部。
【図１３】本発明の第４実施例の電子カメラの操作に関する処理を示したフローチャートの一部。
【図１４】上記第４実施例の電子カメラの操作に関する処理を示したフローチャートの他の一部。
【図１５】上記第４実施例において、（Ａ）補正前の画像，（Ｂ）２画面表示された補正前後の画像，（Ｃ）補正後の画像をそれぞれ示す図。
【図１６】本発明の第５実施例のＩＣカードにおける保存データの論理的構造を示す図。
【図１７】上記第５実施例の電子カメラの操作に関する処理を示したフローチャート。
【図１８】上記第５実施例における２画面表示の画像を示す図。
【図１９】上記第５実施例において３画面に同時に画像を表示している状態を示す図。
【図２０】本発明の第６実施例の電子カメラの操作に関する処理を示したフローチャートの一部。
【図２１】上記第６実施例の電子カメラの操作に関する処理を示したフローチャートの他の一部。
【図２２】上記第６実施例において、（Ａ）２画面表示している状態，（Ｂ）選択した画像を消去する表示を出している状態，（Ｃ）選択した画像が消去された状態，（Ｄ）コピー元の画像を消去してそこに選択した画像を表示している状態，（Ｅ）コピー元の画像を消去した状態、をそれぞれ示す図。
【符号の説明】
【０２０７】
８…電子ビューファインダ（ＥＶＦ）
１５…ＩＣカード（記録手段）
１６…システムマイコン（制御手段）
２１…サブマイコン（制御手段）
２４…画像選択スイッチ
２５…カメラ設定キー
２７…ＬＣＤ
２９…補正操作キー
３０…２画面操作キー
３１…操作キー
３２…消去キー
４１，５１…ヘッダ部
４４，５６…画像データ記録部
代理人    弁理士    伊藤  進
【図１】
0003709408.tif 000002
【図２】
0003709408.tif 000003
【図３】
0003709408.tif 000004
【図４】
0003709408.tif 000005
【図５】
0003709408.tif 000006
【図６】
0003709408.tif 000007
【図７】
0003709408.tif 000008
【図８】
0003709408.tif 000009
【図９】
0003709408.tif 000010
【図１０】
0003709408.tif 000011
【図１１】
0003709408.tif 000012
【図１２】
0003709408.tif 000013
【図１３】
0003709408.tif 000014
【図１４】
0003709408.tif 000015
【図１５】
0003709408.tif 000016
【図１６】
0003709408.tif 000017
【図１７】
0003709408.tif 000018
【図１８】
0003709408.tif 000019
【図１９】
0003709408.tif 000020
【図２０】
0003709408.tif 000021
【図２１】
0003709408.tif 000022
【図２２】
0003709408.tif 000023